(57)【要約】【課題】ラベルの長さが印刷データ量に相当する長さよりも短い場合、すなわち、印刷がラベルからはみ出してしまう場合に、印刷されているラベルの次のラベルに印刷が継続して実行されるのに伴って次のラベルが無駄になってしまうのを回避することができる。【解決手段】センサ２３によりラベル先端１１Ａが検出された後に所定量だけラベル１１を搬送し、そのラベル１１への印刷を開始し、センサ２３によりラベル後端１１Ｂを検出し、ラベル先端１１Ａからラベル後端１１Ｂまでの長さが印刷データ量に相当する長さよりも短いと判断した場合に、印刷を中止する。詳細には、印刷されているラベル１１の次のラベル１２への印刷を実行しない。【選択図】図２
2005199595.tif 000002
【特許請求の範囲】
【請求項１】
ラベル先端およびラベル後端を検出するためのセンサを具備し、ラベル先端が検出された後に所定量だけラベルを搬送し、次いで、そのラベルへの印刷を開始するラベルプリンタにおいて、ラベル後端を検出し、ラベル先端からラベル後端までの長さが印刷データ量に相当する長さよりも短いと判断した場合に、印刷を中止することを特徴とするラベルプリンタ。
【請求項２】
ラベル先端からラベル後端までの長さが印刷データ量に相当する長さよりも短いと判断した場合に、印刷されているラベルの次のラベルへの印刷を実行しないことを特徴とする請求項１に記載のラベルプリンタ。
【発明の詳細な説明】
【技術分野】
【０００１】
本発明は、ラベル先端およびラベル後端を検出するためのセンサを具備し、ラベル先端が検出された後に所定量だけラベルを搬送し、次いで、そのラベルへの印刷を開始するラベルプリンタに関し、特には、ラベルの長さが印刷データ量に相当する長さよりも短い場合、すなわち、印刷がラベルからはみ出してしまう場合に、印刷されているラベルの次のラベルに印刷が継続して実行されるのに伴って次のラベルが無駄になってしまうのを回避することができるラベルプリンタに関する。
【背景技術】
【０００２】
従来から、リール状に巻回された台紙に貼り付けられた複数のラベルの先端および後端を検出するためのセンサを具備し、一のラベルの先端がセンサによって検出された後に所定量だけラベル（および台紙）を送り出し、次いで、そのラベルへの印刷を開始するラベルプリンタが知られている。この種のラベルプリンタの例としては、例えば特開２００３−２６１３４号公報に記載されたものがある。
【０００３】
特開２００３−２６１３４号公報に記載されたラベルプリンタでは、印刷が行われたラベルの後端と次のラベルの先端との中間点が算出され、その中間点で台紙がカッターによって切断される。それにより、ラベルが存在する部分で台紙およびラベルが誤って切断されてしまうのが回避されている。
【０００４】
ところが、特開２００３−２６１３４号公報には、ラベル先端からラベル後端までの長さが印刷データ量に相当する長さよりも短い場合、すなわち、印刷がラベルからはみ出してしまう場合に、どのような印刷制御を実行するかが開示されていない。従って、特開２００３−２６１３４号公報に記載されたラベルプリンタでは、ラベル先端からラベル後端までの長さが印刷データ量に相当する長さよりも短い場合、すなわち、印刷がラベルからはみ出してしまう場合に、印刷されているラベルの次のラベルに印刷が継続して実行されてしまい、次のラベルが無駄になってしまうおそれがある。
【０００５】
【特許文献１】特開２００３−２６１３４号公報
【発明の開示】
【発明が解決しようとする課題】
【０００６】
前記問題点に鑑み、本発明は、ラベルの長さが印刷データ量に相当する長さよりも短い場合、すなわち、印刷がラベルからはみ出してしまう場合に、印刷されているラベルの次のラベルに印刷が継続して実行されるのに伴って次のラベルが無駄になってしまうのを回避することができるラベルプリンタを提供することを目的とする。
【課題を解決するための手段】
【０００７】
請求項１に記載の発明によれば、ラベル先端およびラベル後端を検出するためのセンサを具備し、ラベル先端が検出された後に所定量だけラベルを搬送し、次いで、そのラベルへの印刷を開始するラベルプリンタにおいて、ラベル後端を検出し、ラベル先端からラベル後端までの長さが印刷データ量に相当する長さよりも短いと判断した場合に、印刷を中止することを特徴とするラベルプリンタが提供される。
【０００８】
請求項２に記載の発明によれば、ラベル先端からラベル後端までの長さが印刷データ量に相当する長さよりも短いと判断した場合に、印刷されているラベルの次のラベルへの印刷を実行しないことを特徴とする請求項１に記載のラベルプリンタが提供される。
【発明の効果】
【０００９】
請求項１及び２に記載のラベルプリンタでは、ラベル先端からラベル後端までの長さが印刷データ量に相当する長さよりも短いと判断した場合に、印刷が中止される。詳細には、印刷されているラベルの次のラベルへの印刷が、キャンセルされ、実行されない。そのため、ラベルの長さ、つまり、ラベル先端からラベル後端までの長さが印刷データ量に相当する長さよりも短い場合、すなわち、印刷がラベルからはみ出してしまう場合に、印刷されているラベルの次のラベルに印刷が継続して実行されるのに伴って次のラベルが無駄になってしまうのを回避することができる。
【発明を実施するための最良の形態】
【００１０】
以下、本発明のラベルプリンタの第１の実施形態について説明する。図１および図２は第１の実施形態のラベルプリンタの主要部の断面図である。詳細には、図１は印刷が開始される前におけるラベルプリンタの主要部の断面図、図２は印刷中におけるラベルプリンタの図１と同様の断面図である。
【００１１】
図１および図２において、１は例えば巻回されたリール（図示せず）から引き出された台紙である。１１，１２は台紙１に貼り付けられたラベルである。図示しないが、台紙１には、図中のラベル１１，１２以外にも複数のラベルが貼り付けられており、それらのラベルは、例えばユーザーによって台紙１から容易に剥がすことができるように、台紙１に貼り付けられている。
【００１２】
１１Ａはラベル１１の先端、つまり、ラベル１１の搬送方向下流側端である。１１Ｂはラベル１１の後端、つまり、ラベル１１の搬送方向上流側端である。１２Ａはラベル１１の次に送り出されるラベル１２の先端である。
【００１３】
２１は台紙１およびラベル１１，１２を搬送するためのプラテンローラである。このプラテンローラ２１は、台紙１およびラベル１１，１２を図１および図２の右側に送り出すことも、図１および図２の左側に戻すこともできる。２２はラベル１１，１２の表面に印刷を行うためにプラテンローラ２１の対向位置に配置されたサーマルヘッドである。詳細には、コントローラ（図示せず）からサーマルヘッド２２に送られた印刷データに基づいて、ラベル１１，１２の表面に印刷が行われる。
【００１４】
２３はラベル１１，１２の先端１１Ａ，１２Ａおよび後端１１Ｂを検出するための例えば透過型のセンサである。詳細には、台紙１およびラベル１１，１２が図１および図２の右側に搬送されている時であって、台紙１およびラベル１１，１２を透過する光量が減少した時に、ラベル１１，１２の先端１１Ａ，１２Ａがセンサ２３を通過したと判断される。一方、台紙１およびラベル１１，１２が図１および図２の右側に搬送されている時であって、台紙１およびラベル１１，１２を透過する光量が増加した時に、ラベル１１の後端１１Ｂがセンサ２３を通過したと判断される。
【００１５】
２４は台紙１を切断するためのカッターである。台紙１は、ラベル１１の後端１１Ｂとラベル１２の先端１２Ａとの中間点で切断される。
【００１６】
次に、図１および図２に示したラベルプリンタの通常時の印刷動作について説明する。図１に示す状態においては、ラベル１１の先端１１Ａは、まだセンサ２３によって検出されていない。次いで、プラテンローラ２１によって台紙１が下流側（図１の右側）に搬送されると、センサ２３によってラベル１１の先端１１Ａが検出される。次いで、図２に示す状態まで台紙１およびラベル１１が下流側（図１の右側）に搬送されると、ラベル１１への印刷が開始され、台紙１およびラベル１１が下流側に搬送され続ける。
【００１７】
次いで、センサ２３によってラベル１１の後端１１Ｂが検出されると、ラベル１１の先端１１Ａから後端１１Ｂまでの長さ、つまり、ラベル１１の長さが算出される。更に、ラベル１１の長さが印刷データ量に相当する長さよりも短いか否か、すなわち、印刷がラベル１１からはみ出すか否かが判断される。
【００１８】
印刷がラベル１１からはみ出さないと判断される通常時には、ラベル１１への印刷が、中止されることなく、最後まで実行される。また、センサ２３によって次のラベル１２の先端１２Ａが検出されると、ラベル１１の後端１１Ｂと次のラベル１２の先端１２Ａとの中間点が算出される。次いで、その中間点がカッター２４の対向位置まで搬送され、中間点の位置で台紙１が切断される。その結果、印刷が完了したラベル１１がラベルプリンタの外に排出される。
【００１９】
次に、図１および図２に示したラベルプリンタの印刷エラー時、つまり、ラベルの長さが印刷データ量に相当する長さよりも短い時の動作について説明する。図３は図１および図２に示したラベルプリンタの印刷エラー時を説明するための図である。
【００２０】
例えばユーザーがラベルプリンタにラベルをセットし間違えた場合には、セットされたラベルの長さが、印刷データ量に相当する長さよりも短くなってしまう場合がある。
【００２１】
図３（Ａ）は、印刷すべき文字「１００００」の搬送方向長さ（図３の左右方向長さ）がラベル１１の長さよりも長いにもかかわらず、印刷が中止されることなく完了された場合を示している。図３（Ａ）に示すように、印刷すべき文字「１００００」の搬送方向長さ（図３の左右方向長さ）がラベル１１の長さよりも長いにもかかわらず、印刷が中止されることなく完了されてしまうと、ラベル１１の次のラベル１２にも印刷が実行されてしまい、その結果、次のラベル１２が無駄になってしまう。
【００２２】
図３（Ｂ）は、印刷すべき文字「１００００」の搬送方向長さ（図３の左右方向長さ）がラベル１１の長さよりも長い場合に、図１および図２に示したラベルプリンタによって印刷が中止された場合を示している。図３（Ｂ）に示すように、印刷すべき文字「１００００」の搬送方向長さ（図３の左右方向長さ）がラベル１１の長さよりも長い場合に印刷が中止されると、ラベル１２には印刷が行われず、その結果、図３（Ａ）に示した場合のように次のラベル１２が無駄になってしまうのを回避することができる。
【００２３】
次に、図３（Ｂ）に示したラベルプリンタの印刷エラー時、つまり、ラベル１１の長さが印刷データ量に相当する長さ（印刷すべき文字「１００００」の搬送方向長さ）よりも短い時の動作について、図１および図２を参照して説明する。
【００２４】
図１に示す状態においては、ラベル１１の先端１１Ａは、まだセンサ２３によって検出されていない。次いで、プラテンローラ２１によって台紙１が下流側（図１の右側）に搬送されると、センサ２３によってラベル１１の先端１１Ａが検出される。次いで、図２に示す状態まで台紙１およびラベル１１が下流側（図１の右側）に搬送されると、ラベル１１への印刷が開始され、台紙１およびラベル１１が下流側に搬送され続ける。
【００２５】
次いで、センサ２３によってラベル１１の後端１１Ｂが検出されると、ラベル１１の先端１１Ａから後端１１Ｂまでの長さ、つまり、ラベル１１の長さが算出される。更に、ラベル１１の長さが印刷データ量に相当する長さよりも短いか否か、すなわち、印刷がラベル１１からはみ出すか否かが判断される。
【００２６】
印刷がラベル１１からはみ出すと判断された印刷エラー時には、印刷が中止され、次のラベル１２への印刷がキャンセルされる。また、センサ２３によって次のラベル１２の先端１２Ａが検出されると、ラベル１１の後端１１Ｂと次のラベル１２の先端１２Ａとの中間点が算出される。次いで、その中間点がカッター２４の対向位置まで搬送され、中間点の位置で台紙１が切断される。その結果、印刷が失敗したラベル１１のみがラベルプリンタの外に排出される。更に、印刷が失敗した旨を示すエラー表示が行われる。
【００２７】
上述したように、第１の実施形態のラベルプリンタでは、ラベル１１の後端１１Ｂおよびラベル１２の先端１２Ａが検出され、それらの中間点が算出され、その中間点の位置で台紙１が切断される。図４は第１の実施形態のラベルプリンタによりラベル１１の後端１１Ｂとラベル１２の先端１２Ａとの中間点の位置で台紙１が切断される効果を示した図である。
【００２８】
図４（Ａ）に示すように、第１の実施形態のラベルプリンタにより、ラベル１１の後端１１Ｂおよびラベル１２の先端１２Ａが検出され、それらの中間点が算出され、その中間点の位置で台紙１が切断されると、台紙１およびラベル１１，１２の搬送時にそれらがスリップした場合や、ラベル１１が設計長よりも長く製造された場合であっても、確実に中間点の位置で台紙１を切断することができる。
【００２９】
一方、ラベル１１の後端１１Ｂが検出されることなく、ラベル１１の後端１１Ｂとラベル１２の先端１２Ａとの中間点が推定され、推定された中間点の位置で台紙１が切断される場合には、台紙１およびラベル１１，１２の搬送時にそれらがスリップしたときに、図４（Ｂ）に示すように、ラベル１１が存在する部分で台紙１およびラベル１１が誤って切断されてしまうおそれがある。
【００３０】
また、ラベル１１の後端１１Ｂが検出されることなく、ラベル１１の後端１１Ｂとラベル１２の先端１２Ａとの中間点が推定され、推定された中間点の位置で台紙１が切断される場合には、ラベル１１が設計長よりも長く製造されたときに、図４（Ｃ）に示すように、ラベル１１が存在する部分で台紙１およびラベル１１が誤って切断されてしまうおそれがある。
【００３１】
上述した第１の実施形態のラベルプリンタでは、図１および図２に示したように、サーマルヘッド２２の上流側に配置されたセンサ２３によってラベルの先端および後端の両方が検出されているが、第２の実施形態のラベルプリンタでは、サーマルヘッドの上流側と下流側とにそれぞれセンサを配置し、一方のセンサによってラベルの先端を検出し、他方のセンサによってラベルの後端を検出することも可能である。あるいは、第３の実施形態のラベルプリンタでは、サーマルヘッドの下流側に配置されたセンサによってラベルの先端および後端の両方を検出することも可能である。
【図面の簡単な説明】
【００３２】
【図１】第１の実施形態のラベルプリンタの主要部の断面図である。
【図２】第１の実施形態のラベルプリンタの主要部の断面図である。
【図３】図１および図２に示したラベルプリンタの印刷エラー時を説明するための図である。
【図４】第１の実施形態のラベルプリンタによりラベル１１の後端１１Ｂとラベル１２の先端１２Ａとの中間点の位置で台紙１が切断される効果を示した図である。
【符号の説明】
【００３３】
１        台紙
１１，１２  ラベル
２１        プラテンローラ
２２        サーマルヘッド
２３        センサ
２４        カッター
【図１】
2005199595.tif 000003
【図２】
2005199595.tif 000004
【図３】
2005199595.tif 000005
【図４】
2005199595.tif 000006